(57)【要約】【課題】開栓処理時に採血管の内部から血液が飛散するおそれがあった。【解決手段】採血管１０は本体１２とゴム栓１４とによって構成され、本体１２の上部開口縁には仕切部材１６が設けられる。仕切部材１６はノズルによって穿孔可能な部材で構成される。開栓処理時にゴム栓１４が本体１２から取り外されても仕切部材１６が残留するので、本体１２の内部から血液が外部へ飛散することを効果的に防止できる。また仕切部材１６によってゴム栓１４の裏面に血液が付着することを防止できる。【選択図】図１
2008173218.tif 000002
【特許請求の範囲】
【請求項１】
採取された血液が収容される本体と、
前記本体の上部開口に装着される取り外し可能な栓と、
前記本体には前記栓の裏面よりも下方位置に設けられ、前記栓が取り外されても残存し、穿孔可能な材料で構成された仕切部材と、
を含むことを特徴とする採血管。
【請求項２】
請求項１記載の採血管において、
前記仕切部材は、前記上部開口に固定されあるいは前記上部開口より下の位置において前記本体の内周面に固定され、前記本体の内部を仕切る水平膜状の部材であり、
前記仕切部材に対して上方からノズルを突き通して穿孔を行った場合においても当該仕切部材の固定状態が維持される、ことを特徴とする採血管。
【請求項３】
請求項１記載の採血管において、
前記栓の裏面に接触した位置に前記仕切部材が設けられたことを特徴とする採血管。
【請求項４】
請求項１記載の採血管において、
前記栓の裏面から下方に隔てられた位置に前記仕切部材が設けられたことを特徴とする採血管。
【請求項５】
請求項１記載の採血管において、
当該採血管に対して遠心分離処理後に開栓処理が施され、
前記仕切部材により、当該採血管の開栓処理前の搬送時に前記本体内の血液が前記栓の裏面に付着することが防止され、且つ、前記開栓処理時及びその後において前記本体内の血液が外部へ飛散することが防止される、ことを特徴とする採血管。
【発明の詳細な説明】
【技術分野】
【０００１】
本発明は採血管に関し、特に採血管の構造に関する。
【背景技術】
【０００２】
血液採取に当たっては、採血管が利用される。一般に、その内部は通常、陰圧（負圧）に維持され、採血管は本体と栓とで構成される。栓には、ゴム栓、シール栓などがあり、それにより本体内部が密封されている。遠心分離用の分離剤が内部に封入されている採血管も多用されている。採血後の採血管は、検体前処理装置を経て分析装置へ投入される。検体前処理装置は、ラック搬送装置、遠心分離装置、開栓装置、分注装置、等を有する。分注に先立って通常本体から栓を取り除く開栓処理が施される。
【０００３】
下記特許文献１には栓の下方且つ本体内に摺動部材を備えた採血管が開示されている。摺動部材は分注ノズル等によって突き通されるものではない。特許文献２には栓の上面に使用済みか否かを識別するための薄膜を設けた採血管が開示されている。
【０００４】
【特許文献１】特開２００５−２５３５３８号公報
【特許文献２】特開２００５−２９６１２２号公報
【発明の開示】
【発明が解決しようとする課題】
【０００５】
採血管においては、通常、本体の上部開口に栓が強固に付着あるいは装着されており、その栓を取り除くには多大な力を要する。例えば、自動開栓装置においては、シール栓であれば、そこに設けられたタブをつかんでそれを持ち上げること等によって栓を取り外している。その際の衝撃によってあるいは内圧の急激な変動によって、本体内あるいは栓の裏面から検体が飛散する可能性がある。これはコンタミネーションを引き起こす。よって、そのような検体飛散を確実に防止することが要請される。従来において後工程での検体飛散を防止可能な特別な構造をもった採血管は提供されていない。なお、特願２００６−１９１６５１号には、開栓時の問題に対処する技術が記載されているが、そこに記載されたものは超音波振動を利用するものである。
【０００６】
本発明の目的は、採血後の後工程を実施し易い採血管を提供することにある。
【０００７】
本発明の他の目的は、開栓時（あるいは開栓後）の検体飛散を防止することにある。
【課題を解決するための手段】
【０００８】
本発明は、採取された血液が収容される本体と、前記本体の上部開口に装着される取り外し可能な栓と、前記本体には前記栓の裏面よりも下方位置に設けられ、前記栓が取り外されても残存し、穿孔可能な材料で構成された仕切部材と、を含むことを特徴とする採血管に関する。
【０００９】
上記構成によれば、栓の他に仕切部材が設けられ、仕切部材は栓の取り外し時に容器本体に残存し、開栓時及び開栓後における血液（検体）飛散が仕切部材によって防止される。そもそも、仕切部材が存在しているので、栓の裏面には血液が付着せずあるいは付着し難い。開栓処理が完了した以降に仕切部材を除去するようにしてもよいが、そのまま残留させれば、採血管搬送時の振動等によって血液飛散が生じることを防止できる。また、異物混入を防止できる。仕切部材は採血時及び分注時に尖鋭な部材つまりノズルを突き通すことが可能な材料で構成される。穿孔前の状態において血液が栓の裏面に到達することを阻止又は制限できる材料で仕切部材を構成するようにしてもよいが、血液が浸透する材料で仕切部材を構成するようにしてもよい。後者の場合に、採血後に例えば採血管を振って攪拌を行うと、仕切部材に血液が浸透しあるいはそれを越えて血液が栓の裏面に達することになるが、そのような血液は遠心分離処理によって採血管の下方へ強制的に落とされる。遠心分離後の採血管搬送時における振動等を考慮すると、仕切部材はある程度、血液の上方移動を阻止可能な材料や組成をもって構成されるのが望ましい。
【００１０】
望ましくは、前記仕切部材は、前記上部開口に固定されあるいは前記上部開口より下の位置において前記本体の内周面に固定され、前記本体の内部を仕切る水平膜状の部材であり、前記仕切部材に対して上方からノズルを突き通して穿孔を行った場合においても当該仕切部材の固定状態が維持される。ノズルが突き通される際に仕切部材には応力が生じるが、仕切部材の固定状態は維持される。ノズルの引き抜き運動の際にも同様である。仕切部材と、本体開口縁又は本体内面との間が確実に接着等されているのが望ましい。
【００１１】
望ましくは、前記栓の裏面に接触した位置に前記仕切部材が設けられる。あるいは、前記栓の裏面から下方に隔てられた位置に前記仕切部材が設けられる。
【００１２】
望ましくは、当該採血管に対して遠心分離処理後に開栓処理が施され、前記仕切部材により、当該採血管の開栓処理前の搬送時に前記本体内の血液が前記栓の裏面に付着することが防止され、且つ、前記開栓処理時及びその後において前記本体内の血液が外部へ飛散することが防止される。
【発明の効果】
【００１３】
以上説明したように、本発明によれば、採血後の後工程を実施し易くなる。あるいは、開栓時の検体飛散を防止できる。
【発明を実施するための最良の形態】
【００１４】
以下、本発明の好適な実施形態を図面に基づいて説明する。
【００１５】
図１には、本発明に係る採血管の実施形態が示されている。採血管１０は、大別して、本体１２及びゴム栓１４によって構成される。本体１２は、上下方向に伸長した円筒形状を有し、その底部は丸みを帯びている。本体１２には遠心分離処理で機能する分離剤１３が予め入れられている。
【００１６】
ゴム栓１４は、本体１２の上部に嵌め込まれるものであり、ゴム栓１４によって本体１２の内部が気密状態に保持される。本実施形態においては、図示されるように、本体１２の上部開口縁に仕切部材１６が貼り付けられている。仕切部材１６は、上記の上部開口縁に対して固定されており、後の開栓処理時においてもそのまま残留する部材である。
【００１７】
仕切部材１６は、ノズルを突き通すことが可能な部材によって構成され、例えばポリエチレンなどのような樹脂フィルムとして構成され、あるいはメッシュ状の材料によって構成される。和紙や薄いアルミニウム膜として構成することも可能である。本体１２内の血液が仕切部材１６を介して上方へ移動しないように、当該仕切部材の材料を適宜選択するのが望ましいが、ある程度血液の移動を阻止することが可能な部材であれば、多孔質のような材料をもって仕切部材１６を構成することも可能である。
【００１８】
図２には、図１に示した採血管１０の断面図が示されている。図示されるように、本体１２の上部開口縁１２Ａには仕切部材１６の下面における周囲が貼付されており、仕切部材１６はゴム栓１４を取り外す時においてもそのまま残留する。ゴム栓１４は上方凹み１４Ａと下方凹み１４Ｄとを有しており、符号１４Ｂは上方凹み１４Ａ内の空洞部分を表している。また１４Ｃは上方凹み１４Ａにおける底面を示している。下方凹み１４Ｄの天井面は仕切部材１６の上面に密着している。ゴム栓１４は本体１２の上端部を包み込む形態を有しているが、本体１２の上部開口をシールする構造としては各種のものを採用することができる。
【００１９】
図１及び図２に示した採血管を用いて人体から採取された血液が本体１２の内部に取り込まれる。本体１２の内部は予め負圧となっており、生体から採取された血液は本体１２内に貯留される。その場合において、採血時において採血用の針に連結された針状部材がゴム栓１４における隔壁に突き通され、更に仕切部材１６に突き通される。そのような針状部材を引き抜いた後においては、ゴム栓１４が有する弾性作用によって穿孔した通路が自然に塞がれる。仕切部材１６に形成された小孔はそのまま残留するが仕切部材１６が一定の弾性を有するものであれば、その小孔は自然に閉じる。
【００２０】
図３には、開栓処理が模式的に示されている。この開栓処理は、採血管に対する遠心分離処理を実行した後に実行されるものである。図示されるように、本体１２からゴム栓１４が取り外される。図３においては斜め上方にゴム栓１４が引き上げられているが、開栓処理の方式としては各種のものを採用することができる。例えばゴム栓１４を固定したまま、本体１２を回転させながらゴム栓１４を上方に引き上げる等の処理により開栓が実施される。
【００２１】
ゴム栓１４を取り外す際、そこで生じる振動あるいは本体１２内部の圧力の急激な変化により、場合によっては本体１２の内部あるいは内面から血液が外部へ飛散することが考えられるが、本実施形態においては仕切部材１６が存在しているため、符号２６で示されるように本体１２の内部空間から外部への血液飛散は効果的に防止される。そもそも、遠心分離後の採血管の搬送時において血液（血漿等）がゴム栓１４の裏面に付着することが防止又は軽減されているので、ゴム栓１４それ自体による血液の飛散を効果的に防止又は軽減することができる。ちなみに符号１６Ａは採血時に生じた小孔を表しているが、その径は極めて小さく、またほぼ自然に塞がってしまうような大きさであるため、そこを通過する血液の飛散はほとんど問題とならない。
【００２２】
以上のように、本実施形態の採血管においては、二重構造を有しているため、栓を除去した段階においても本体には更に別の栓が存在することになり、開栓時の血液飛散を効果的に防止することが可能となる。また、それ以前に栓それ自体に血液が付着することを効果的に防止することが可能である。
【００２３】
開栓後において、図４に示されるように分注処理が実行される。この際において、例えば金属あるいはプラスチックなどによって構成されるノズル２０が本体１２内の血液に向かって差し込まれるが、その際において仕切部材１６はノズル２０による穿孔が可能な部材として構成されているため、ノズル２０を本体１２の内部に円滑に差し込むことが可能であり、その際においてノズル２０の先端への悪影響は防止される。
【００２４】
また、ノズル２０を引き上げる際、ノズル２０の先端の外表面に付着した血液（血漿）は仕切部材１６の穿孔部分に触れながら上方に引き上げられるため、外表面に付着した血液を擦り落とす作用を仕切部材１６に発揮させることも可能である。仕切部材１６が液体を吸着吸収するような部材で構成されていれば、このような作用をより促進させることが可能である。ちなみに、仕切部材１６はノズル２０による穿孔時に微少破片が生じないような材料で構成するのが望ましい。
【００２５】
ちなみに、開栓後あるいは分注後に、必要に応じて仕切部材を除去するようにしてもよい。ただし、本実施形態においては穿孔可能な部材で仕切部材１６が構成されているため仕切部材の除去を行うことなく分注処理を実行可能であり、またその後においても仕切部材１６をそのまま残留させることが可能である。例えば分注処理後において場合によっては採血管が一定期間保存されるが、その場合において事実上蓋が存在することになるので、採血管への異物混入を防止することが可能である。
【００２６】
図５及び図６には他の実施形態が示されている。図５に示す実施形態においては、ゴム栓１４の下方部分が本体１２の上部開口から内部へ差し込まれており、符号３２で示されるように、上部開口縁１２Ａから所定距離だけ下がった位置に仕切部材３０が設けられている。仕切部材３０の外周辺は本体１２の内面に固着されている。図５に示す実施形態では、仕切部材３０の上面がゴム栓１４の下面に密着している。
【００２７】
図６に示す実施形態においては、ゴム栓に代えてシール栓３４が設けられている。すなわち、本体１２の上部開口縁にはシール栓３４が張り付けられており、その中央部分にはゴム材料３８が設けられている。符号３６はシール栓３４を取り外す際に掴まれるタブを表している。シール栓３４から一定距離を隔てて本体１２の内部には仕切部材３０が設けられている。仕切部材３０の周囲は本体１２の内面に固着されており、仕切部材３０の上面３０Ａとシール栓３４の下面３４Ａとの間には一定の空隙が存在している。すなわち、両者は離間状態で配置されている。このような構成によれば、血液が仕切部材３０まで到達し、仕切部材３０が血液を吸収しあるいはそれに血液が付着したとしても、シール栓３４まで血液が到達することを効果的に防止可能である。ちなみに、図５に示したゴム栓１４のような栓体を二段階に設け、一段階目の栓体に仕切部材を設け、二段階目の栓体を本来の栓として機能させるようにしてもよい。いずれにしても採血管の初期状態において内部が気密状態に置かれる構造を採用する必要がある。上記実施形態においては分離剤１３が予め収容されていたが、そのような分離剤は必ずしも事前に収容させておく必要はない。
【図面の簡単な説明】
【００２８】
【図１】本発明に係る採血管の実施形態を示す斜視図である。
【図２】図１に示した採血管の断面図である。
【図３】開栓処理を説明するための図である。
【図４】分注処理を説明するための図である。
【図５】他の実施形態に係る採血管を示す断面図である。
【図６】更に他の実施形態に係る採血管を示す断面図である。
【符号の説明】
【００２９】
１０  採血管、１２  本体、１３  分離剤、１４  ゴム栓、１６  仕切部材。
【図１】
2008173218.tif 000003
【図２】
2008173218.tif 000004
【図３】
2008173218.tif 000005
【図４】
2008173218.tif 000006
【図５】
2008173218.tif 000007
【図６】
2008173218.tif 000008